(57)【要約】【課題】異なる形式のセグメントが連結して配置される無線信号を受信するにあたり、当該無線信号のセグメントの配置パターンの特定にかかる時間を大幅に短縮すること。【解決手段】選局部２０は、受信したＩＳＤＢ−Ｔｍｍ信号に対し、予め定められたセグメント通し番号を基に１セグメント分の信号を選局する。同期部２１は、選局された１セグメント分の信号に含まれる情報を基にシンボルの先頭を検出し、シンボルの先頭を検出できたか否かを示す同期情報を判定部３へ出力する。復号部２２は、選局された１セグメント分の信号に含まれる情報と、予め定められたサブチャンネル番号とを基に１セグメント分の信号の復号を行い、復号できたか否かを示す復号情報を判定部３へ出力する。判定部３は、入力した同期情報と復号情報を基に、予め定められた複数のセグメント配置パターンの中から、ＩＳＤＢ−Ｔｍｍ信号が備える一のセグメント配置パターンを特定する。【選択図】図２
2013115694.tif 000002
【特許請求の範囲】
【請求項１】
異なる形式のセグメントを連結して配置することで所定のセグメント配置パターンを備えた無線信号を受信する無線受信装置であって、
前記無線信号を受信する受信手段と、
前記受信手段で受信した前記無線信号に対し、予め定められたセグメント通し番号を基に１セグメント分の信号を選局する選局手段と、
前記選局手段で選局した前記１セグメント分の信号に含まれる情報を基にシンボルの先頭を検出し、シンボルの先頭を検出できたか否かを示す同期情報を生成する同期手段と、
前記選局手段で選局した前記１セグメント分の信号に含まれる情報と、予め定められたサブチャンネル番号とを基に前記１セグメント分の信号の復号を行い、復号できたか否かを示す復号情報を生成する復号手段と、
前記同期情報および前記復号情報を基に、予め定められた複数のセグメント配置パターンの中から、前記無線信号が備える一のセグメント配置パターンを特定する判定手段と、
を具備する無線受信装置。
【請求項２】
前記同期手段は、
前記選局手段で選局した前記１セグメント分の信号に含まれるＴＭＣＣ（Transmission and Multiplexing Configuration and Control）信号を基にシンボルの先頭を検出し、シンボルの先頭を検出できたか否かを示す第１の同期情報を生成し、
前記復号手段は、
前記選局手段で選局した前記１セグメント分の信号に含まれるＳＰ（Scattered Pilot）信号と、予め定められた第１のサブチャンネル番号のＳＰ信号とを基に復号を行い、復号できたか否かを示す第１の復号情報を生成し、
前記判定手段は、
前記第１の同期情報がシンボルの先頭が検出できたことを示し、かつ、前記第１の復号情報が復号できたことを示す場合、予め定められた３つのセグメント配置パターンの中から、前記無線信号が備える一のセグメント配置パターンを特定する、
請求項１記載の無線受信装置。
【請求項３】
前記選局手段は、
前記第１の同期情報がシンボルの先頭が検出できなかったことを示す場合、又は、前記第１の復号情報が復号できなかったことを示す場合に、前記無線信号に対し、予め定められたセグメント通し番号を基に、前記１セグメント分の信号とは異なる別の１セグメント分の信号を選局し、
前記同期手段は、
前記選局手段で選局した前記別の１セグメント分の信号に含まれるＴＭＣＣ信号を基にシンボルの先頭を検出し、シンボルの先頭を検出できたか否かを示す第２の同期情報を生成し、
前記復号手段は、
前記選局手段で選局した前記別の１セグメント分の信号に含まれるＳＰ信号と、予め定められた第２のサブチャンネル番号のＳＰ信号とを基に復号を行い、復号できたか否かを示す第２の復号情報を生成し、
前記判定手段は、
前記第２の同期情報がシンボルの先頭が検出できたことを示す場合、前記第２の復号情報が示す復号できたか否かに応じて、予め定められた３つのセグメント配置パターンの中から、前記無線信号が備える一のセグメント配置パターンを特定する、
請求項２記載の無線受信装置。
【請求項４】
前記判定手段は、
前記第２の同期情報がシンボルの先頭が検出できなかったことを示す場合、前記無線信号を正しく受信できなかったと判定し、予め定められた３つのセグメント配置パターンの中から、いずれのセグメント配置パターンも特定しない、
請求項３記載の無線受信装置。
【請求項５】
前記同期手段は、
前記選局手段で選局した前記１セグメント分の信号に含まれるガードインターバルを基にシンボルの先頭を検出し、シンボルの先頭を検出できたか否かを示す第１の同期情報を生成し、
前記復号手段は、
前記選局手段で選局した前記１セグメント分の信号に含まれるＳＰ信号と、予め定められた第１のサブチャンネル番号のＳＰ信号及び第２のサブチャンネル番号のＳＰ信号とを基に復号を行い、復号できたか否かを示す第１の復号情報を生成し、
前記判定手段は、
前記第１の同期情報がシンボルの先頭が検出できたことを示す場合、前記第１の復号情報が示す前記第１のサブチャンネル番号及び前記第２のサブチャンネル番号により復号できたか否かに応じて、予め定められた３つのセグメント配置パターンの中から、前記無線信号が備える一のセグメント配置パターンを特定する、
請求項１記載の無線受信装置。
【請求項６】
前記判定手段は、
前記第１の同期情報がシンボルの先頭が検出できなかったことを示す場合に、前記無線信号を正しく受信できなかったと判定し、予め定められた３つのセグメント配置パターンの中から、いずれのセグメント配置パターンも特定しない、
請求項５記載の無線受信装置。
【請求項７】
前記選局手段は、
前記第１の同期情報がシンボルの先頭が検出できなかったことを示す場合に、前記無線信号に対し、予め定められたセグメント通し番号を基に、前記１セグメント分の信号とは異なる別の１セグメント分の信号を選局し、
前記同期手段は、
前記選局手段で選局した前記別の１セグメント分の信号に含まれるガードインターバルを基にシンボルの先頭を検出し、シンボルの先頭を検出できたか否かを示す第２の同期情報を生成し、
前記復号手段は、
前記選局手段で選局した前記別の１セグメント分の信号に含まれるＳＰ信号と、予め定められた第１のサブチャンネル番号のＳＰ信号及び第３のサブチャンネル番号のＳＰ信号とを基に復号を行い、復号できたか否かを示す第２の復号情報を生成し、
前記判定手段は、
前記第２の同期情報がシンボルの先頭が検出できたことを示す場合、前記第２の復号情報が示す前記第１のサブチャンネル番号及び前記第３のサブチャンネル番号により復号できたか否かに応じて、予め定められた３つのセグメント配置パターンの中から、前記無線信号が備える一のセグメント配置パターンを特定する、
請求項５記載の無線受信装置。
【請求項８】
前記判定手段は、
前記第２の同期情報がシンボルの先頭が検出できなかったことを示す場合に、前記無線信号を正しく受信できなかったと判定し、予め定められた３つのセグメント配置パターンの中から、いずれのセグメント配置パターンも特定しない、
請求項７記載の無線受信装置。
【請求項９】
前記無線信号は、
１３セグメント形式のＯＦＤＭセグメントと、１セグメント形式のＯＦＤＭセグメントとがそれぞれ所定数連結されて配置される、
請求項１記載の無線受信装置。
【請求項１０】
前記互いに異なる複数のＯＦＤＭセグメント配置パターンは、
周波数が低い方から順に、前記１３セグメント形式のＯＦＤＭセグメント１つ、前記１セグメント形式のＯＦＤＭセグメント７つ、前記１３セグメント形式のＯＦＤＭセグメント１つが配置された第１の配置パターン、
周波数が低い方から順に、前記１３セグメント形式のＯＦＤＭセグメント２つ、前記１セグメント形式のＯＦＤＭセグメント７つが配置された第２の配置パターン、
周波数が低い方から順に、前記１セグメント形式のＯＦＤＭセグメント７つ、前記１３セグメント形式のＯＦＤＭセグメント２つが配置された第３の配置パターン、
のいずれかである、
請求項９記載の無線受信装置。
【請求項１１】
異なる形式のセグメントを連結して配置することで所定のセグメント配置パターンを備えた無線信号を受信する装置における無線受信方法であって、
前記無線信号を受信するステップと、
受信した前記無線信号に対し、予め定められたセグメント通し番号を基に１セグメント分の信号を選局するステップと、
選局した前記１セグメント分の信号に含まれる情報を基にシンボルの先頭を検出するステップと、
選局した前記１セグメント分の信号に含まれる情報と、予め定められたサブチャンネル番号とを基に復号を行うステップと、
前記シンボルの先頭を検出できたか否かと、前記復号ができたか否かとを基に、予め定められた複数のセグメント配置パターンの中から、前記無線信号が備える一のセグメント配置パターンを特定するステップと、
を含む無線受信方法。
【発明の詳細な説明】
【技術分野】
【０００１】
本発明は、異なる形式のセグメントが連結して配置される無線信号を受信する無線受信装置及び無線受信方法に関する。
【背景技術】
【０００２】
近年、ＩＳＤＢ−Ｔ（Integrated Services Digital Broadcasting for Terrestrial）方式を発展させたＩＳＤＢ−Ｔｍｍ（Integrated Services Digital Broadcasting Terrestrial Mobile Multi-Media Broadcasting）方式を用いた、次世代モバイル用のマルチメディア放送が提唱されている。マルチメディア放送とは、映像、音声、データ等のデジタル情報を送る放送である。
【０００３】
ＩＳＤＢ−Ｔｍｍ方式のマルチメディア放送では、ストリーム型サービスの提供だけでなく、ダウンロード型サービスの提供が想定されている。ストリーム型サービスは、ユーザがどこにいても携帯端末を用いてリアルタイムにコンテンツの視聴ができるサービスである。ダウンロード型サービスは、コンテンツを一旦携帯端末に蓄えておき、そのコンテンツをユーザが所望のタイミングで視聴できるサービスである。
【０００４】
ＩＳＤＢ−Ｔｍｍ方式のマルチメディア放送に用いられる無線信号では、異なる形式のＯＦＤＭ（直交周波数分割多重）セグメント、すなわち、１３セグメント形式のＯＦＤＭセグメントと１セグメント形式のＯＦＤＭセグメントがそれぞれ所定数連結して配置される。１３セグメント形式のＯＦＤＭセグメントが「タイプＡスーパーセグメント」と呼ばれるのに対し、１セグメント形式のＯＦＤＭセグメントを１４個以下で連結したものは「タイプＢスーパーセグメント」と呼ばれる。なお、以下では、ＩＳＤＢ−Ｔｍｍ方式により送信される無線信号のことを、「ＩＳＤＢ−Ｔｍｍ信号」と表記する。
【０００５】
上記「ＯＦＤＭセグメント」は、ＩＳＤＢ−Ｔ方式と同様に、地上テレビジョン放送における１つのチャンネルの帯域幅（６ＭＨｚ）を１４分割した帯域幅の信号である。よって、１４分割されたＯＦＤＭセグメント（以下、単に「セグメント」という）１つあたりに割り当てられる周波数は、４２９〜４３２ｋＨｚとなる。
【０００６】
ここで、図１を参照して、ＩＳＤＢ−Ｔｍｍ信号の構成について説明する。図１は、ＩＳＤＢ−Ｔｍｍ信号におけるセグメントの配置パターンをそれぞれ示している。
【０００７】
ＩＳＤＢ−Ｔｍｍ信号では、図１（ａ）、（ｂ）、（ｃ）に示すように、周波数２０７．５ＭＨｚ〜２２２ＭＨｚ（帯域幅１４．５ＭＨｚ）において２つのタイプＡスーパーセグメント及び１つのタイプＢスーパーセグメントが配置される。なお、図１では、タイプＢスーパーセグメントは、１セグメント形式のセグメントが７つ連結された例としている。よって、図１（ａ）、（ｂ）、（ｃ）のいずれにおいても、セグメントの総数は３３個である。
【０００８】
タイプＡスーパーセグメントを構成する１３個の各セグメントには、図中の左から順に、セグメント番号１１，９，７，５，３，１，０，２，４，６，８，１０，１２が予め定義されている。また、タイプＢスーパーセグメントを構成する７個の各セグメントには、図中の左から順に、サブチャンネル番号１，４，７，１０，１３，１６，１９が予め定義されている。
【０００９】
図１（ａ）は、２つのタイプＡスーパーセグメントの間にタイプＢスーパーセグメントが挟まれて配置された構成を示している。図１（ａ）に示すセグメントの配置パターンを、以下「配置パターンａ」という。
【００１０】
図１（ｂ）は、図中の右端にタイプＢスーパーセグメントが配置され、その左側に２つのタイプＡスーパーセグメントが連続して配置された構成を示している。図１（ｂ）に示すセグメントの配置パターンを、以下「配置パターンｂ」という。
【００１１】
図１（ｃ）は、図中の左端にタイプＢスーパーセグメントが配置され、その右側に２つのタイプＡスーパーセグメントが連続して配置された構成を示している。図１（ｃ）に示すセグメントの配置パターンを、以下「配置パターンｃ」という。
【００１２】
ＩＳＤＢ−Ｔｍｍ信号では、上記配置パターンａ、ｂ、ｃを適宜変更することができる。例えば、ＩＳＤＢ−Ｔｍｍ方式のマルチメディア放送を行う放送事業者は、配置パターンｃのＩＳＤＢ−Ｔｍｍ信号で運用を開始した後、途中で配置パターンａ又はｂのＩＳＤＢ−Ｔｍｍ信号に変更することできる。
【００１３】
このようなことから、例えば携帯端末等の無線受信装置では、マルチメディア放送を受信するにあたり、受信した送信信号が配置パターンａ、ｂ、ｃのいずれであるかを特定した上で、特定した配置パターンに応じた選局を行う必要がある。
【００１４】
しかしながら、無線受信装置が配置パターンを特定するために３３個のセグメントを順番に１つずつ選局すると、時間がかかってしまうという問題がある。
【００１５】
選局に時間がかかるという問題を解決するものとして、例えば特許文献１に開示されている技術がある。特許文献１の受信装置では、ケーブルテレビ放送で用いられるデジタル放送信号のチャンネル配置が５５０ＭＨｚであることから、選局を５５０ＭＨｚ以上のチャンネルから開始することで、選局全体の所要時間を短縮している。
【先行技術文献】
【特許文献】
【００１６】
【特許文献１】特開２００４−３６３６６０号公報
【発明の概要】
【発明が解決しようとする課題】
【００１７】
しかしながら、特許文献１には、特定の周波数以上から選局を開始する動作をＩＳＤＢ−Ｔｍｍ信号に対して適用できる旨について開示及び示唆はされていない。
【００１８】
本発明の目的は、異なる形式のセグメントが連結して配置される無線信号を受信するにあたり、当該無線信号におけるセグメントの配置パターンの特定にかかる時間を大幅に短縮することができる無線受信装置及び無線受信方法を提供することである。
【課題を解決するための手段】
【００１９】
本発明の無線受信装置は、異なる形式のセグメントを連結して配置することで所定のセグメント配置パターンを備えた無線信号を受信する無線受信装置であって、前記無線信号を受信する受信手段と、前記受信手段で受信した前記無線信号に対し、予め定められたセグメント通し番号を基に１セグメント分の信号を選局する選局手段と、前記選局手段で選局した前記１セグメント分の信号に含まれる情報を基にシンボルの先頭を検出し、シンボルの先頭を検出できたか否かを示す同期情報を生成する同期手段と、前記選局手段で選局した前記１セグメント分の信号に含まれる情報と、予め定められたサブチャンネル番号とを基に前記１セグメント分の信号の復号を行い、復号できたか否かを示す復号情報を生成する復号手段と、前記同期情報および前記復号情報を基に、予め定められた複数のセグメント配置パターンの中から、前記無線信号が備える一のセグメント配置パターンを特定する判定手段と、を具備する構成を採る。
【００２０】
本発明の無線受信方法は、異なる形式のセグメントを連結して配置することで所定のセグメント配置パターンを備えた無線信号を受信する装置における無線受信方法であって、前記無線信号を受信するステップと、受信した前記無線信号に対し、予め定められたセグメント通し番号を基に１セグメント分の信号を選局するステップと、選局した前記１セグメント分の信号に含まれる情報を基にシンボルの先頭を検出するステップと、選局した前記１セグメント分の信号に含まれる情報と、予め定められたサブチャンネル番号とを基に復号を行うステップと、前記シンボルの先頭を検出できたか否かと、前記復号ができたか否かとを基に、予め定められた複数のセグメント配置パターンの中から、前記無線信号が備える一のセグメント配置パターンを特定するステップと、を含む構成を採る。
【発明の効果】
【００２１】
本発明によれば、異なる形式のセグメントが連結して配置される無線信号を受信するにあたり、当該無線信号におけるセグメントの配置パターンの特定にかかる時間を大幅に短縮することができる。
【図面の簡単な説明】
【００２２】
【図１】本発明の実施の形態に係るＯＦＤＭ受信機が受信する無線信号のセグメント配置パターンを示す図
【図２】本発明の実施の形態に係るＯＦＤＭ受信機の構成を示すブロック図
【図３】本発明の実施の形態に係るＯＦＤＭ受信機が受信する無線信号のセグメントの構成を示す図
【図４】本発明の実施の形態に係るＯＦＤＭ受信機が受信する無線信号のセグメントに含まれるシンボルの構成を示す図
【図５】本発明の実施の形態に係るＯＦＤＭ受信機の動作例１を示すフロー図
【図６】本発明の実施の形態に係るＯＦＤＭ受信機の動作例２を示すフロー図
【図７】本発明の実施の形態に係るＯＦＤＭ受信機の動作例３を示すフロー図
【発明を実施するための形態】
【００２３】
以下、本発明の実施の形態について図面を参照して詳細に説明する。本実施の形態では、無線受信装置としてＯＦＤＭ受信機を用いる場合を一例として説明する。
【００２４】
図２は、本実施の形態に係る無線受信装置であるＯＦＤＭ受信機１００の構成を示すブロック図である。本実施の形態のＯＦＤＭ受信機１００は、携帯電話機等の移動受信機に適用した例である。
【００２５】
図２に示すように、ＯＦＤＭ受信機１００は、アンテナ１と、チューナ２と、判定部３と、情報格納部４とから主に構成される。
【００２６】
アンテナ１は、無線信号を受信する受信手段の一例であり、上述したＩＳＤＢ−Ｔｍｍ信号を受信してチューナ２へ出力する。なお、このＩＳＤＢ−Ｔｍｍ信号が備える配置パターンａ、ｂ、ｃについては、図１を用いて説明済みであるので、ここでの説明は省略する。
【００２７】
チューナ２は、選局部２０、同期部２１、復号部２２を備える。
【００２８】
選局部２０は、アンテナ１から入力したＩＳＤＢ−Ｔｍｍ信号に対し、ワンセグ受信の設定で受信を行う。ワンセグ受信の設定とは、１セグメント形式のセグメントを受信する設定、及び、１３セグメント形式のセグメントのうち所定の１セグメント（セグメント番号０が定義されている中央のセグメント）を部分受信する設定である。この設定を前提として、選局部２０は、判定部３から指示されるセグメント番号を基に、１セグメント分の信号を選局する。選局部２０は、選局した１セグメント分の信号を、同期部２１および復号部２２へ出力する。
【００２９】
同期部２１は、選局部２０で選局した１セグメント分の信号に含まれる情報を基に同期を取る。ここでいう情報としては、例えば、ガードインターバル（Guard Interval。以下、ＧＩという）及びＴＭＣＣ（Transmission and Multiplexing Configuration and Control）信号が挙げられる。同期部２１は、ＧＩを用いた同期、又は、ＴＭＣＣを用いた同期のいずれかを行う。これらの同期の詳細については後述する。そして、同期部２１は、同期が取れたか否か（シンボルの先頭を検出できたか否か）を示す同期情報を生成し、判定部３へ出力する。また、同期部２１は、タイミング信号を復号部２２へ出力する。
【００３０】
復号部２２は、選局部２０で選局した１セグメント分の信号に含まれる情報と、判定部３から指示されるサブチャンネル番号とを基に１セグメント分の信号の復号を行う。ここでいう情報としては、例えば、スキャッタードパイロット（Scattered Pilot。以下、ＳＰという）信号が挙げられる。つまり、復号部２２は、ＳＰ信号の配置パターンにより示されるサブチャンネル番号と、判定部３から指示されるサブチャンネル番号とを基に復号を行う。復号の詳細については後述する。そして、復号部２２は、復号の結果を示す復号情報を生成し、判定部３へ出力する。
【００３１】
なお、図２に示す同期部２１から復号部２２へのタイミング信号は、判定部３に対する同期情報と復号情報の出力を同期させるためのものである。これにより、判定部３は、所定の１セグメント分の信号に対する同期情報と復号情報を同時に受け取ることができる。
【００３２】
判定部３は、ＣＰＵ（Central Processing Unit）等のプロセッサ、プログラムメモリ又はワークメモリ等から構成される。
【００３３】
判定部３は、番号情報４０として格納されているセグメント番号及びサブチャンネル番号を情報格納部４から読み出す。そして、判定部３は、選局部２０に対してはセグメント番号を、復号部２２に対してはサブチャンネル番号をそれぞれ出力する。
【００３４】
また、判定部３は、同期部２１からの同期情報、復号部２２からの復号情報を入力する。そして、判定部３は、入力した同期情報及び復号情報を基に、受信したＩＳＤＢ−Ｔｍｍ信号の構成が、情報格納部４から読み出した配置パターン情報４１に定義されている配置パターンａ、ｂ、ｃのいずれであるかを特定する。なお、判定部３の動作の詳細については後述する。
【００３５】
情報格納部４は、所定の不揮発性メモリ等で構成され、番号情報４０と配置パターン情報４１を格納する。
【００３６】
番号情報４０は、予め定められたセグメント通し番号及びサブチャンネル番号である。後述する動作例に応じて、セグメント通し番号は１つないし２つ、サブチャンネル番号は２つないし３つが格納される。なお、セグメント通し番号とサブチャンネル番号とは対応付けられている。
【００３７】
ここで、セグメント通し番号について説明する。セグメント通し番号は、上述したセグメント番号とは異なり、ＩＳＤＢ−Ｔｍｍ信号を構成する３３個のセグメントに対して一続きに割り振られた番号である。セグメント通し番号は、例えば図１（ａ）に示すように、３３個のセグメントの１つ１つに対し、左から順に、seg１、seg２、・・・・、seg３２、seg３３と定義される。なお、図１では、例として（ａ）のみセグメント通し番号を図示したが、（ｂ）および（ｃ）についても、（ａ）と同様にセグメント通し番号が定義される。
【００３８】
配置パターン情報４１は、図１に示す配置パターンａ、ｂ、ｃを示す情報である。配置パターンａ、ｂ、ｃ毎に、それらを判定部３が特定するための条件として、同期情報が示す同期結果と復号情報が示す復号結果とが対応付けられている。
【００３９】
以上、ＯＦＤＭ受信機１００の構成について説明した。
【００４０】
次に、同期部２１で行われるＧＩを用いた同期及びＴＭＣＣを用いた同期、並びに、復号部２２で行われる復号について、詳細をそれぞれ説明する。それらの説明に先立ち、選局部２０で選局される１セグメント分の信号の構成について、図３を用いて説明する。
【００４１】
図３は、ＱＰＳＫ（Quaternary Phase Shift Keying）、１６ＱＡＭ（Quadrature Amplitude Modulation）、６４ＱＡＭの１セグメント分の信号の構成を示す図である。図３に示すように、１セグメント分の信号は、周波数方向に０〜４３１のキャリア番号が割り当てられ、時間方向に０〜２０３のＯＦＤＭシンボル番号が割り当てられる。キャリア番号とＯＦＤＭシンボル番号とで区切られる矩形は、１シンボル（シンボル１つ分）である。そして、図３に示すように、ＳＰ信号及びＴＭＣＣ信号は、所定のシンボルにそれぞれ配置されている。なお、図３は所定のセグメント番号におけるＳＰ信号及びＴＭＣＣ信号の配置を示している。よって、セグメント番号が異なれば、ＳＰ信号及びＴＭＣＣ信号が配置されるシンボルも異なる。
【００４２】
１シンボルは、図４に示すように、ＧＩと有効シンボルで構成される。１シンボルでは、有効シンボルの後端がコピーされたものが、ＧＩとして有効シンボルの先端に付加される。ＧＩの区間（長さ）は、有効シンボルの１／４又は１／８の長さである。
【００４３】
まず、ＧＩを用いた同期について説明する。この同期は、「ＯＦＤＭ同期」と呼ばれることから、以下では「ＯＦＤＭ同期」と表記する。
【００４４】
同期部２１は、選局部２０から入力した１セグメント分の信号と、その１セグメント分の信号を有効シンボルの長さだけ遅延させた信号とで相関を取ることで、ＧＩの区間（シンボルの先頭）を検出する。アンテナ１の受信状態が良いと（１セグメント分の信号を正確に受信すると）、ＧＩの区間が検出できる。この場合、同期部２１は、ＯＦＤＭ同期が取れたと判定する。一方、アンテナ１の受信状態が悪いと（１セグメント分の信号を正確に受信しないと）、ＧＩの区間が検出できない。この場合、同期部２１は、ＯＦＤＭ同期が取れなかったと判定する。そして、同期部２１は、ＯＦＤＭ同期が取れたか取れなかったか（シンボルの先頭を検出できたか否か）を示す同期情報を生成し、判定部３へ出力する。
【００４５】
次に、ＴＭＣＣを用いた同期について説明する。この同期は、「フレーム同期」と呼ばれることから、以下では「フレーム同期」と表記する。
【００４６】
図３に示すＴＭＣＣ信号は、２０４ビットで１フレームを構成しており、先頭の１６ビットが同期用信号に割り当てられている。この同期用信号は、ｗ０＝0011010111101110又はｗ１＝1100101000010001のいずれかとなる。ｗ０とｗ１とは互いにビット反転している。また、同期部２１には、ｗ０とｗ１が予め設定されている。
【００４７】
同期部２１は、選局部２０から入力した１セグメント分の信号に含まれるＴＭＣＣ信号の所定のフレームを構成する先頭の１６ビットと例えばｗ０とを照合する。同期部２１は、照合の結果、ビットパターンが一致すれば、シンボルの先頭を検出できる。このとき、同期部２１は、同期が取れたと判定する。ただし、同期用信号部分以外でも同じビットパターンが現れる可能性があるため、同期部２１は、次のフレームを構成する先頭の１６ビットと例えばｗ１とを照合する。この照合の結果、ビットパターンが一致すれば、シンボルの先頭を検出できる。そして、このとき、同期部２１は、フレーム同期が取れたと判定する。一方、照合の結果、ビットパターンが一致しなければ、同期部２１は、シンボルの先頭を検出できない。このとき、同期部２１は、フレーム同期が取れなかったと判定する。そして、同期部２１は、フレーム同期が取れたか取れなかったか（シンボルの先頭を検出できたか否か）を示す同期情報を生成し、判定部３へ出力する。
【００４８】
なお、上述したように、選局部２０はワンセグ受信の設定で受信を行う。よって、選局部２０が、１セグメント形式のセグメント、又は、１３セグメント形式のセグメントのうち部分受信すべき１セグメント（中央のセグメント）を受信した場合には、フレーム同期が取れる。一方、選局部２０が、１３セグメント形式のセグメントのうち部分受信すべき１セグメント以外のセグメントを受信した場合には、フレーム同期は取れない。
【００４９】
次に、復号について説明する。
【００５０】
図３に示すように、ＳＰ信号は、時間方向と周波数方向において、所定のパターンで配置される。このＳＰ信号の符号パターンは、ＩＳＤＢ−Ｔｍｍ信号の送信側（図示せず）に備えられたランダム符号発生器（図示せず）により生成される。ランダム符号発生器の初期値（シフトレジスタの１、０の値。位相ともいう）は、サブチャンネル番号に応じて決まる。すなわち、サブチャンネル番号毎に、時間方向と周波数方向におけるＳＰ信号の符号パターン（１、０で示されるパターン）は異なることになる。なお、復号部２２には、ＩＳＤＢ−Ｔｍｍ信号の各セグメントに割り当てられるサブチャンネル番号毎に、ＳＰ信号の符号パターンが予め設定されている。
【００５１】
復号部２２は、判定部３から指示されたサブチャンネル番号のＳＰ信号の符号パターンと、選局部２０から入力した１セグメント分の信号に含まれるＳＰ信号の符号パターンとを照合する。この照合の結果、ＳＰ信号の符号パターンが一致した場合は、復号部２２が１セグメント分の信号を所定の方式（ＱＰＳＫ、１６ＱＡＭ、６４ＱＡＭのいずれか）で復調、復号すると、誤り率が低くなり、復号が成功する。一方、照合の結果、ＳＰ信号の符号パターンが一致しない場合は、復号部２２が１セグメント分の信号を所定の方式（ＱＰＳＫ、１６ＱＡＭ、６４ＱＡＭのいずれか）で復調、復号すると、誤り率が高くなり、復号が失敗する。なお、誤り率の例としては、ＢＥＲ（Bit Error Rate）又はＰＥＲ（Packet Error Rate）が挙げられる。そして、復号部２２は、復号が成功したか失敗したか（復号できたか否か）を示す復号情報を生成し、判定部３へ出力する。
【００５２】
以上、同期部２１で行われるＯＦＤＭ同期及びフレーム同期、並びに、復号部２２で行われる復号について説明した。
【００５３】
次に、ＯＦＤＭ受信機１００がＩＳＤＢ−Ｔｍｍ信号のセグメント配置パターンを特定する動作例１〜３について、図５〜図７を用いてそれぞれ説明する。
【００５４】
＜動作例１＞
まず、動作例１について説明する。図５は、ＯＦＤＭ受信機１００の動作例１を示すフロー図である。
【００５５】
動作例１の前提として、情報格納部４には、番号情報４０及び配置パターン情報４１が以下の内容で格納されているとする。
【００５６】
番号情報４０として、セグメント通し番号seg７とサブチャンネル番号１９、セグメント通し番号seg２７とサブチャンネル番号２２がそれぞれ対応付けられて格納されている。
【００５７】
配置パターン情報４１として、図１に示す配置パターンａ、ｂ、ｃと、それら配置パターン毎に同期情報の内容（同期結果）及び復号情報の内容（復号結果）とが対応付けられて格納されている。ここでは例として、配置パターンａには、同期情報の内容として「セグメント通し番号seg２７の選局でフレーム同期が取れた」、かつ、復号情報の内容として「サブチャンネル番号２２で復号成功」が対応付けられている。また、配置パターンｂには、同期情報の内容として「セグメント通し番号seg２７の選局でフレーム同期が取れた」、かつ、復号情報の内容として「サブチャンネル番号２２で復号失敗」が対応付けられている。また、配置パターンｃには、同期情報の内容として「セグメント通し番号seg７の選局でフレーム同期が取れた」、かつ、復号情報の内容として「サブチャンネル番号１９で復号成功」が対応付けられている。このように配置パターン毎に対応付けられた同期情報及び復号情報の内容は、配置パターンを特定するための条件として用いられる。
【００５８】
まず、判定部３は、情報格納部４から、セグメント通し番号seg７とサブチャンネル番号１９、セグメント通し番号seg２７とサブチャンネル番号２２をそれぞれ読み出し、セグメント通し番号seg７、seg２７を選局部２０へ、サブチャンネル番号１９、２２を復号部２２へそれぞれ出力する（ステップＳ１）。このステップＳ１における出力タイミングとしては、初めてＯＦＤＭ受信機１００に電源が投入された時、又は、ＩＳＤＢ−Ｔｍｍ方式のマルチメディア方法の受信が指示された時などが挙げられる。
【００５９】
選局部２０は、判定部３からセグメント通し番号seg７、seg２７を入力すると、アンテナ１から入力したＩＳＤＢ−Ｔｍｍ信号に対し、まずセグメント通し番号seg７を選局する（ステップＳ２）。セグメント通し番号seg７のセグメントは、図１（ａ）、（ｂ）、（ｃ）において、図中の左から数えて７番目のセグメントである。そして、選局部２０は、セグメント通し番号seg７のセグメントに相当する信号（１セグメント分の信号の一例）を、同期部２１及び復号部２２へそれぞれ出力する。
【００６０】
同期部２１は、選局部２０から信号を入力すると、上述した方法にてフレーム同期を取り、フレーム同期が取れたか否かを示す同期情報を生成し、判定部３へ出力する（ステップＳ３）。
【００６１】
一方、復号部２２は、選局部２０から信号を入力すると、判定部３から入力したサブチャンネル番号１９を基に上述した方法にて復号を行い、サブチャンネル番号１９で復号が成功したか失敗したかを示す復号情報を生成し、判定部３へ出力する（ステップＳ４）。なお、ここでの復号情報の出力は、ステップＳ３における同期情報の出力と同期が取られる。
【００６２】
判定部３は、選局情報及び復号情報を入力すると、まず、選局情報が「フレーム同期が取れた」ことを示しているかを判定する（ステップＳ５）。判定の結果、選局情報が「フレーム同期が取れなかった」ことを示す場合（ステップＳ５／Ｎｏ）、一連の処理はステップＳ７へ進む。
【００６３】
一方、ステップＳ５の判定の結果、選局情報が「フレーム同期が取れた」ことを示す場合（ステップＳ５／Ｙｅｓ）、判定部３は、復号情報が「サブチャンネル番号１９で復号が成功した」ことを示しているかを判定する（ステップＳ６）。
【００６４】
ステップＳ６の判定の結果、復号情報が「サブチャンネル番号１９で復号が成功した」ことを示す場合（ステップＳ６／Ｙｅｓ）、判定部３は、情報格納部４から読み出した配置パターン情報４１の配置パターンａ、ｂ、ｃの中から、判定した選局情報及び復号情報の内容に該当する配置パターンｃを選択する（ステップＳ１３）。すなわち、受信したＩＳＤＢ−Ｔｍｍ信号が配置パターンｃであることが特定される。
【００６５】
一方、ステップＳ６の判定の結果、復号情報が「サブチャンネル番号１９で復号が失敗した」ことを示す場合（ステップＳ６／Ｎｏ）、判定部３は、選局部２０に対して次の選局を指示する。
【００６６】
選局部７は、アンテナ１から入力したＩＳＤＢ−Ｔｍｍ信号に対し、セグメント通し番号seg２７を選局する（ステップＳ７）。セグメント通し番号seg２７のセグメントは、図１（ａ）、（ｂ）、（ｃ）において、図中の左から数えて２７番目（右から数えると７番目）のセグメントである。そして、選局部２０は、セグメント通し番号seg２７のセグメントに相当する信号（１セグメント分の信号の一例）を、同期部２１及び復号部２２へそれぞれ出力する。
【００６７】
同期部２１及び復号部２２は、選局部２０から信号を入力すると、上記ステップＳ３及びＳ４と同様の処理を行い（ただし、復号はサブチャンネル番号２２を基に行われる）、生成した同期情報及び復号情報を同期させて判定部３へ出力する（ステップＳ８、Ｓ９）。
【００６８】
判定部３は、選局情報及び復号情報を入力すると、まず、選局情報が「フレーム同期が取れた」ことを示しているかを判定する（ステップＳ１０）。判定の結果、選局情報が「フレーム同期が取れなかった」ことを示す場合（ステップＳ１０／Ｎｏ）、判定部３は、受信状態が悪い（ＩＳＤＢ−Ｔｍｍ信号を正しく受信できなかった）と判定し、一連の処理を終了する（ステップＳ１４）。すなわち、判定部３は、配置パターンの選択を行わない。よって、受信したＩＳＤＢ−Ｔｍｍ信号の配置パターンは特定されない。
【００６９】
一方、ステップＳ１０の判定の結果、選局情報が「フレーム同期が取れた」ことを示す場合（ステップＳ１０／Ｙｅｓ）、判定部３は、復号情報が「サブチャンネル番号２２で復号が成功した」ことを示しているかを判定する（ステップＳ１１）。
【００７０】
ステップＳ１１の判定の結果、復号情報が「サブチャンネル番号２２で復号が成功した」ことを示す場合（ステップＳ１１／Ｙｅｓ）、判定部３は、情報格納部４から読み出した配置パターン情報４１の配置パターンａ、ｂ、ｃの中から、判定した選局情報及び復号情報の内容に該当する配置パターンａを選択する（ステップＳ１５）。すなわち、受信したＩＳＤＢ−Ｔｍｍ信号が配置パターンａであることが特定される。
【００７１】
一方、ステップＳ１１の判定の結果、復号情報が「サブチャンネル番号２２で復号が失敗したこと」を示す場合（ステップＳ１１／Ｎｏ）、判定部３は、情報格納部４から読み出した配置パターン情報４１の配置パターンａ、ｂ、ｃの中から、判定した選局情報及び復号情報の内容に該当する配置パターンｂを選択する（ステップＳ１２）。すなわち、受信したＩＳＤＢ−Ｔｍｍ信号が配置パターンｂであることが特定される。
【００７２】
このように、動作例１によれば、ＯＦＤＭ受信機１００は、セグメントの選局を２回行うだけで、ＩＳＤＢ−Ｔｍｍ信号の配置パターンがａ、ｂ、ｃのいずれであるかを特定できる。すなわち、動作例１によれば、異なる形式のセグメントが連結して配置されるＩＳＤＢ−Ｔｍｍ信号を受信するにあたり、当該ＩＳＤＢ−Ｔｍｍ信号におけるセグメントの配置パターンの特定にかかる時間を大幅に短縮することができる。
【００７３】
＜動作例２＞
次に、動作例２について説明する。図６は、ＯＦＤＭ受信機１００の動作例２を示すフロー図である。
【００７４】
動作例２の前提として、情報格納部４には、番号情報４０及び配置パターン情報４１が以下の内容で格納されているとする。
【００７５】
番号情報４０として、セグメント通し番号seg１４と、サブチャンネル番号２２及びサブチャンネル番号１とが対応付けられて格納されている。
【００７６】
配置パターン情報４１として、図１に示す配置パターンａ、ｂ、ｃと、それら配置パターン毎に同期情報の内容（同期結果）及び復号情報の内容（復号結果）とが対応付けられて格納されている。ここでは例として、配置パターンａには、同期情報の内容として「セグメント通し番号seg１４の選局でＯＦＤＭ同期が取れた」、かつ、復号情報の内容として「サブチャンネル番号１で復号成功」が対応付けられている。また、配置パターンｂには、同期情報の内容として「セグメント通し番号seg１４の選局でＯＦＤＭ同期が取れた」、かつ、復号情報の内容として「サブチャンネル番号２２及びサブチャンネル番号１で復号失敗」が対応付けられている。また、配置パターンｃには、同期情報の内容として「セグメント通し番号seg１４の選局でフレーム同期が取れた」、かつ、復号情報の内容として「サブチャンネル番号２２で復号成功」が対応付けられている。このように配置パターン毎に対応付けられた同期情報及び復号情報の内容は、配置パターンを特定するための条件として用いられる。
【００７７】
まず、判定部３は、情報格納部４から、セグメント通し番号seg１４とサブチャンネル番号２２及びサブチャンネル番号１を読み出し、セグメント通し番号seg１４を選局部２０へ、サブチャンネル番号２２、１を復号部２２へそれぞれ出力する（ステップＳ２１）。このステップＳ２１における出力タイミングとしては、初めてＯＦＤＭ受信機１００に電源が投入された時、又は、ＩＳＤＢ−Ｔｍｍ方式のマルチメディア方法の受信が指示された時などが挙げられる。
【００７８】
選局部２０は、判定部３からセグメント通し番号seg１４を入力すると、アンテナ１から入力したＩＳＤＢ−Ｔｍｍ信号に対し、まずセグメント通し番号seg１４を選局する（ステップＳ２２）。セグメント通し番号seg１４のセグメントは、図１（ａ）、（ｂ）、（ｃ）において、図中の左から数えて１４番目のセグメントである。そして、選局部２０は、セグメント番号１４のセグメントに相当する信号（１セグメント分の信号の一例）を、同期部２１及び復号部２２へそれぞれ出力する。
【００７９】
同期部２１は、選局部２０から信号を入力すると、上述した方法にてＯＦＤＭ同期を取り、ＯＦＤＭ同期が取れたか否かを示す同期情報を生成し、判定部３へ出力する（ステップＳ２３）。
【００８０】
一方、復号部２２は、選局部２０から信号を入力すると、判定部３から入力したサブチャンネル番号２２、１を基に上述した方法にて復号を行い、サブチャンネル番号２２で復号が成功したか失敗したか及びサブチャンネル番号１で復号が成功したか失敗したかを示す復号情報を生成し、判定部３へ出力する（ステップＳ２４）。なお、ここでの復号情報の出力は、ステップＳ２３における同期情報の出力と同期が取られる。
【００８１】
判定部３は、選局情報及び復号情報を入力すると、まず、選局情報が「ＯＦＤＭ同期が取れた」ことを示しているかを判定する（ステップＳ２５）。
【００８２】
ステップＳ２５の判定の結果、選局情報が「ＯＦＤＭ同期が取れなかった」ことを示す場合（ステップＳ２５／Ｎｏ）、判定部３は、受信状態が悪い（ＩＳＤＢ−Ｔｍｍ信号を正しく受信できなかった）と判定し、一連の処理を終了する（ステップＳ２９）。すなわち、判定部３は、配置パターンの選択を行わない。よって、受信したＩＳＤＢ−Ｔｍｍ信号の配置パターンは特定されない。
【００８３】
一方、ステップＳ２５の判定の結果、選局情報が「ＯＦＤＭ同期が取れた」ことを示す場合（ステップＳ２５／Ｙｅｓ）、判定部３は、復号情報が「サブチャンネル番号２２で復号が成功した」ことを示しているかを判定する（ステップＳ２６）。
【００８４】
ステップＳ２６の判定の結果、復号情報が「サブチャンネル番号２２で復号が成功した」ことを示す場合（ステップＳ２６／Ｙｅｓ）、判定部３は、情報格納部４から読み出した配置パターン情報４１の配置パターンａ、ｂ、ｃの中から、判定した選局情報及び復号情報の内容に該当する配置パターンｃを選択する（ステップＳ３０）。すなわち、受信したＩＳＤＢ−Ｔｍｍ信号が配置パターンｃであることが特定される。
【００８５】
一方、ステップＳ２６の判定の結果、復号情報が「サブチャンネル番号２２で復号が失敗したこと」を示す場合（ステップＳ２６／Ｎｏ）、判定部３は、復号情報が「サブチャンネル番号１で復号が成功した」ことを示しているかを判定する（ステップＳ２７）。
【００８６】
ステップＳ２７の判定の結果、復号情報が「サブチャンネル番号１で復号が成功した」ことを示す場合（ステップＳ２７／Ｙｅｓ）、判定部３は、情報格納部４から読み出した配置パターン情報４１の配置パターンａ、ｂ、ｃの中から、判定した選局情報及び復号情報の内容に該当する配置パターンａを選択する（ステップＳ３１）。すなわち、受信したＩＳＤＢ−Ｔｍｍ信号が配置パターンａであることが特定される。
【００８７】
一方、ステップＳ２７の判定の結果、復号情報が「サブチャンネル番号１で復号が失敗した」ことを示す場合（ステップＳ２７／Ｎｏ）、判定部３は、情報格納部４から読み出した配置パターン情報４１の配置パターンａ、ｂ、ｃの中から、判定した選局情報及び復号情報の内容に該当する配置パターンｂを選択する（ステップＳ２８）。すなわち、受信したＩＳＤＢ−Ｔｍｍ信号が配置パターンｂであることが特定される。
【００８８】
このように、動作例２によれば、ＯＦＤＭ受信機１００は、セグメントの選局を１回行うだけで、ＩＳＤＢ−Ｔｍｍ信号の配置パターンがａ、ｂ、ｃのいずれであるかを特定できる。すなわち、動作例２によれば、異なる形式のセグメントが連結して配置されるＩＳＤＢ−Ｔｍｍ信号を受信するにあたり、当該ＩＳＤＢ−Ｔｍｍ信号におけるセグメントの配置パターンの特定にかかる時間を大幅に短縮することができる。
【００８９】
＜動作例３＞
次に、動作例３について説明する。図７は、ＯＦＤＭ受信機１００の動作例３を示すフロー図である。
【００９０】
動作例３の前提として、情報格納部４には、番号情報４０及び配置パターン情報４１が以下の内容で格納されているとする。
【００９１】
番号情報４０として、セグメント通し番号seg１４とサブチャンネル番号２２及びサブチャンネル番号１、セグメント通し番号seg２０とサブチャンネル番号２２及びサブチャンネル番号１９がそれぞれ対応付けられて格納されている。
【００９２】
配置パターン情報４１として、図１に示す配置パターンａ、ｂ、ｃと、それら配置パターン毎に同期情報の内容（同期結果）及び復号情報の内容（復号結果）とが対応付けられて格納されている。この対応付けは、例えば以下のようになる。
【００９３】
配置パターンａには、同期情報の内容として「セグメント通し番号seg１４の選局でＯＦＤＭ同期が取れた」、かつ、復号情報の内容として「サブチャンネル番号１で復号成功」が対応付けられている。また、配置パターンａには、同期情報の内容として「セグメント通し番号seg２０の選局でＯＦＤＭ同期が取れた」、かつ、復号情報の内容として「サブチャンネル番号１９で復号成功」が対応付けられている。
【００９４】
配置パターンｂには、同期情報の内容として「セグメント通し番号seg１４の選局でＯＦＤＭ同期が取れた」、かつ、復号情報の内容として「サブチャンネル番号２２及びサブチャンネル番号１で復号失敗」が対応付けられている。また、配置パターンｂには、同期情報の内容として「セグメント通し番号seg２０の選局でＯＦＤＭ同期が取れた」、かつ、復号情報の内容として「サブチャンネル番号２２で復号成功」が対応付けられている。
【００９５】
配置パターンｃには、同期情報の内容として「セグメント通し番号seg１４の選局でフレーム同期が取れた」、かつ、復号情報の内容として「サブチャンネル番号２２で復号成功」が対応付けられている。また、配置パターンｃには、同期情報の内容として「セグメント通し番号seg２０の選局でＯＦＤＭ同期が取れた」、かつ、復号情報の内容として「サブチャンネル番号２２及びサブチャンネル番号１９で復号失敗」が対応付けられている。
【００９６】
このように配置パターン毎に対応付けられた同期情報及び復号情報の内容は、配置パターンを特定するための条件として用いられる。
【００９７】
動作例３は、図７に示すように、動作例２で説明した図６のステップＳ２９の代わりとして、図６のステップＳ２２〜Ｓ３１と同様のステップＳ３２〜４１が付加されたフローとなっている。よって、以下では、図７において動作例２と同符号を付したステップの説明は省略する。ただし、ステップＳ２１では、判定部３は、情報格納部４から番号情報４０を読み出し、セグメント通し番号seg１４、seg２０を選局部２０へ、サブチャンネル番号２２、１、１９を復号部２２へそれぞれ出力する。
【００９８】
ステップＳ２５の判定の結果、選局情報が「ＯＦＤＭ同期が取れなかった」ことを示す場合（ステップＳ２５／Ｎｏ）、判定部３は、選局部２０に対して次の選局を指示する。
【００９９】
選局部２０は、アンテナ１から入力したＩＳＤＢ−Ｔｍｍ信号に対し、セグメント通し番号seg２０を選局する（ステップＳ３２）。セグメント通し番号seg２０のセグメントは、図１（ａ）、（ｂ）、（ｃ）において、図中の左から数えて２０番目（図中の右から数えると１４番目）のセグメントである。そして、選局部２０は、セグメント通し番号seg２０のセグメントに相当する信号（１セグメント分の信号の一例）を、同期部２１及び復号部２２へそれぞれ出力する。
【０１００】
同期部２１は、選局部２０から信号を入力すると、上述した方法にてＯＦＤＭ同期を取り、ＯＦＤＭ同期が取れたか否かを示す同期情報を生成し、判定部３へ出力する（ステップＳ３３）。
【０１０１】
一方、復号部２２は、選局部２０から信号を入力すると、判定部３から入力したサブチャンネル番号２２、１９を基に上述した方法にて復号を行い、サブチャンネル番号２２で復号が成功したか失敗したか及びサブチャンネル番号１９で復号が成功したか失敗したかを示す復号情報を生成し、判定部３へ出力する（ステップＳ３４）。なお、ここでの復号情報の出力は、ステップＳ３３における同期情報の出力と同期が取られる。
【０１０２】
判定部３は、選局情報及び復号情報を入力すると、まず、選局情報が「ＯＦＤＭ同期が取れた」ことを示しているかを判定する（ステップＳ３５）。
【０１０３】
ステップＳ３５の判定の結果、選局情報が「ＯＦＤＭ同期が取れなかった」ことを示す場合（ステップＳ３５／Ｎｏ）、判定部３は、受信状態が悪い（ＩＳＤＢ−Ｔｍｍ信号を正しく受信できなかった）と判定し、一連の処理を終了する（ステップＳ３９）。すなわち、判定部３は、配置パターンの選択を行わない。よって、受信したＩＳＤＢ−Ｔｍｍ信号の配置パターンは特定されない。
【０１０４】
一方、ステップＳ３５の判定の結果、選局情報が「ＯＦＤＭ同期が取れた」ことを示す場合（ステップＳ３５／Ｙｅｓ）、判定部３は、復号情報が「サブチャンネル番号２２で復号が成功した」ことを示しているかを判定する（ステップＳ３６）。
【０１０５】
ステップＳ３６の判定の結果、復号情報が「サブチャンネル番号２２で復号が成功した」ことを示す場合（ステップＳ３６／Ｙｅｓ）、判定部３は、情報格納部４から読み出した配置パターン情報４１の配置パターンａ、ｂ、ｃの中から、判定した選局情報及び復号情報の内容に該当する配置パターンｂを選択する（ステップＳ４０）。すなわち、受信したＩＳＤＢ−Ｔｍｍ信号が配置パターンｂであることが特定される。
【０１０６】
一方、ステップＳ３６の判定の結果、復号情報が「サブチャンネル番号２２で復号が失敗したこと」を示す場合（ステップＳ３６／Ｎｏ）、判定部３は、復号情報が「サブチャンネル番号１９で復号が成功した」ことを示しているかを判定する（ステップＳ３７）。
【０１０７】
ステップＳ３７の判定の結果、復号情報が「サブチャンネル番号１９で復号が成功した」ことを示す場合（ステップＳ３７／Ｙｅｓ）、判定部３は、情報格納部４から読み出した配置パターン情報４１の配置パターンａ、ｂ、ｃの中から、判定した選局情報及び復号情報の内容に該当する配置パターンａを選択する（ステップＳ４１）。すなわち、受信したＩＳＤＢ−Ｔｍｍ信号が配置パターンａであることが特定される。
【０１０８】
一方、ステップＳ３７の判定の結果、復号情報が「サブチャンネル番号１９で復号が失敗した」ことを示す場合（ステップＳ３７／Ｎｏ）、判定部３は、情報格納部４から読み出した配置パターン情報４１の配置パターンａ、ｂ、ｃの中から、判定した選局情報及び復号情報の内容に該当する配置パターンｃを選択する（ステップＳ３８）。すなわち、受信したＩＳＤＢ−Ｔｍｍ信号が配置パターンｃであることが特定される。
【０１０９】
このように、動作例３によれば、ＯＦＤＭ受信機１００は、セグメントの選局を２回行うだけで、ＩＳＤＢ−Ｔｍｍ信号の配置パターンがａ、ｂ、ｃのいずれであるかを特定できるとともに、受信状態が悪い場合でもセグメント配置パターンの特定処理を続行することができる。
【０１１０】
以上、ＯＦＤＭ受信機１００の各動作について説明した。
【０１１１】
上記の実施の形態は、本発明の好適な実施の形態の例示であり、本発明の範囲はこれに限定されることはない。
【０１１２】
例えば、上記の実施の形態において、ＯＦＤＭ受信機１００を構成する各部の種類、数及び接続方法などは、上記の実施の形態に示すものに限られない。
【０１１３】
また、上記の実施の形態において、復号情報は、復号が成功したか失敗したかを示す情報としたが、これに限られない。例えば、復号情報は、例えばＢＥＲ又はＰＥＲなどの、誤り率を示す情報であってもよい。その場合、判定部３が、予め定められた閾値と、復号部２２から入力した誤り率とを比較し、誤り率が閾値より低い場合は復号が成功したと判定し、誤り率が閾値より高い場合は復号が失敗したと判定するようにしてもよい。
【０１１４】
また、上記の実施の形態の動作例１〜３において、配置パターンａ、ｂ、ｃの特定が可能であれば、ステップの順番は上記の各動作例に示すものに限られない。例えば、動作例１において、セグメント通し番号seg２７の選局を先に行い、セグメント通し番号seg７の選局を後に行うようにしてもよい。例えば、動作例２において、ステップＳ２６とＳ２７の判定の順番を逆にしてもよい。例えば、動作例３において、セグメント通し番号seg２０の選局を先に行い、セグメント通し番号seg１４の選局を後に行うようにしてもよい。例えば、動作例３において、ステップＳ２６とＳ２７、ステップＳ３６とＳ３７の判定の順番をそれぞれ逆にしてもよい。
【０１１５】
また、上記の実施の形態の動作例１〜３において、配置パターンａ、ｂ、ｃの特定が可能であれば、番号情報４０として予め格納されるセグメント通し番号とサブチャンネル番号の対応付けは、上記の各動作例に示すものに限られない。
【０１１６】
また、上記の実施形態の動作例１及び３のように２度の選局が想定される場合において、２度の選局で用いられるセグメント番号とサブチャンネル番号を一度に出力する例（図５のステップＳ１、図７のステップＳ２１）で説明したが、これに限定されない。例えば、選局を行う度に、判定部３がその選局に用いられるセグメント通し番号とサブチャンネル番号の対応付けを情報格納部４から読み出して出力するようにしてもよい。
【産業上の利用可能性】
【０１１７】
本発明に係る無線受信装置及び無線受信方法は、例えば、異なる形式のＯＦＤＭセグメントが連結して配置される無線信号を受信するのに好適である。
【符号の説明】
【０１１８】
１００  ＯＦＤＭ受信機
１  アンテナ
２  チューナ
３  判定部
４  情報格納部
２０  選局部
２１  同期部
２２  復号部
４０  番号情報
４１  配置パターン情報
【図１】
2013115694.tif 000003
【図２】
2013115694.tif 000004
【図３】
2013115694.tif 000005
【図４】
2013115694.tif 000006
【図５】
2013115694.tif 000007
【図６】
2013115694.tif 000008
【図７】
2013115694.tif 000009